(57)【要約】【目的】初期筆記でインキがとぎれやすいボールペン、攪拌する必要が無く、容器の側面を押圧する煩わしさの無い修正用のボールペンを使用した複合筆記具に於いて、インキ切れの回復や加圧効率を損なう問題を解決可能とする。【構成】先端にボールペンのチップと後方にインキ収容部を備えてなるボールペンリフィールを複数搭載して先軸先端からチップ先端部を交互に出没可能とする複合筆記具に於いて、ボールペンリフィールの後方にノック式の加圧機構が設けられ、軸先からチップ先端部を突出させた状態でノック操作によってインキの後端が加圧されて、インキのチップ側への流動性が支援されるように構成されたことを特徴とする。【選択図】                図１
2005035023.tif 000002
【特許請求の範囲】
【請求項１】
先端にボールペンのチップと後方にインキ収容部を備えてなるボールペンリフィールを少なくとも一本含む複数本の筆記体を搭載して先軸先端から筆記先端部を交互に出没可能とする複合筆記具に於いて、
前記ボールペンリフィールの後方にノック式の加圧機構が設けられ、軸先からチップ先端部を突出させた状態でノック操作によってインキの後端が加圧されて、インキのチップ側への流動性が支援されるように構成されたことを特徴とする複合筆記具。
【請求項２】
ボールペンリフィールの後端とノック機構部の前端との間に後端閉塞状の加圧筒と、その内孔にスプリングを介して加圧筒に対し摺動する加圧軸が設けられて加圧機構部が構成され、チップ先端部を突出させた状態に係止すると共にノックによって加圧軸に対し加圧筒が前進して、インキの後端が加圧された状態となされた請求項１に記載の複合筆記具。
【請求項３】
加圧軸の外周に円周状の溝部とその溝部内の前端側に加圧軸の軸心を貫通する孔部と連通する通気路が設けられ、シールリングが前記溝部内に前後動可能に密挿されて、加圧軸に対して加圧筒が前進作動した時に、シールリングが溝部内の前端側に強制的に寄せられて前記通気路が閉塞された状態でシールリングの外周部が加圧筒の内周部に密接した状態で摺動して、加圧筒内の空気が加圧軸の軸心内孔に押し込まれるように構成されてなる請求項２に記載の複合筆記具。
【請求項４】
加圧軸に対して加圧筒が前進した状態から後退作動した時に、シールリングが溝部内の後端側に強制的に寄せられて通気路が開口した状態となされ、加圧筒内が外気と連通した状態で後退可能となるように構成されてなる請求項３に記載の複合筆記具。
【発明の詳細な説明】
【０００１】
【産業上の利用分野】
本発明は、複数のボールペンリフィールを搭載して、各筆記先端部を選択的に軸先より突出可能とすると共に、ノック式の加圧操作によってインキのチップ側への流動性が支援されるように構成された加圧式の複合筆記具に関する。
【０００２】
【従来の技術】
【特許文献１】特開２００１−２０５９８０
【特許文献２】特開２０００−６２３８７
【特許文献３】実開平１−１６１０８１
インキ充填後のインキ収容管内の後端部側に加圧ガスを封入し、この加圧ガスの封入による内圧を利用することにより、ボールペンの上向き筆記を可能にするとともに、インキ収容管内でのインキの逆流現象によるインキ漏れを防止してなる加圧ボールペンが提案されている。しかしながら、このような加圧ボールペンでは、インキ収容管内への加圧ガスの封入によってコスト高になり、製造設備も複雑化するために、生産性に劣るばかりでなく、経時によって内圧が低下することを防止するために加圧力や各組み付け部品の材質、組み付け部位のシール性にも厳重な管理が必要となる。そこで、初期筆記でインキがとぎれやすいインキを使用したボールペン、主として誤記等を白色のインキで隠蔽することで修正可能とするボールペンのリフィールを搭載した本発明の元となるノック式筆記具が提案されている。（特許文献１）
このものは、コスト的にも安価に提供可能となるものである。しかしながら、加圧筒を前進した状態から後退作動した時に、加圧筒内が減圧される側に作用する為にインキが逆流側に影響を受けて、インキ切れの回復や加圧効率を損なう問題が存在する。
また、ボールペン筆記体の内、少なくとも一本を低粘度油性インキとした複数のボールペン筆記体を搭載して、それぞれのノック体をノックした時に係止突起がクリップ先端の係止段部に係止して筆記先端部を突出状態となり、その状態でクリップを胸ポケットに差した時に係止が解除されて筆記先端部が軸内に没入するように安全機構が設けられてなるノック式の複合筆記具が知られている。
（特許文献２）
また、先軸に複数本の案内溝を有するガイド筒を着脱可能に配し、筆記体の後端に夫々摺動コマを取付けてこれら筆記体を前記ガイド筒の案内溝に夫々軸方向に移動自在に嵌装し、キャップの内径部で前面にカム斜面を備えた円筒カムをキャップに対して回転方向で一体、軸方向に可動可能として、更に、前記ガイド筒に回転且つ軸推移可能に被嵌して、キャップをガイド筒に対して回転自在で抜止めして取付けると共に、上記先軸に対してキャップを回転することにより、円筒カムのカム斜面上で夫々の摺動コマを滑らせて前後動可能とし、キャップの内径部で後端に内歯車を形成して、そこにノック棒（ボタン歯車）を嵌装して、キャップの後端よりノック部を突出させ、ノック棒をノックすることにより、ノック棒の前面に位置させた回転子（回転突出部材）を回転させて、回転子の歯を前記内歯車の歯に掛合、又は、溝に嵌入して、回転子の更に前面に位置する円筒カムを前進又は後退して位置させて、それと連動して筆記先端部を先軸の先端孔より出没させるようにしたことを特徴とした複合筆記具（複式筆記具）が提案されている。（特許文献３）
【０００３】
【発明が解決しようとする課題】
本発明は、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなど、加圧作用で支援して筆記可能とするボールペンリフィールを少なくとも一本搭載した便利な加圧式の複合筆記具を提供可能とする。
また、加圧筒を前進した状態から後退作動した時に、加圧筒内が減圧される側に作用する為にインキが逆流側に影響を受け、インキ切れの回復や加圧効率を損なう問題を容易に解決可能とする。
【０００４】
【課題を解決するための手段】
本発明は、上記課題を達成するために以下の構成を有する。
請求項１に記載の発明に係る複合筆記具は、先端にボールペンのチップと後方にインキ収容部を備えてなるボールペンリフィールを少なくとも一本含む複数本の筆記体を搭載して先軸先端から筆記先端部を交互に出没可能とする複合筆記具に於いて、前記ボールペンリフィールの後方にノック式の加圧機構が設けられ、軸先からチップ先端部を突出させた状態でノック操作によってインキの後端が加圧されて、インキのチップ側への流動性が支援されるように構成されたことを特徴とする。
【０００５】
請求項２に記載の発明に係る複合筆記具は、請求項１に記載の複合筆記具に於いて、ボールペンリフィールの後端とノック機構部の前端との間に後端閉塞状の加圧筒と、その内孔にスプリングを介して加圧筒に対し摺動する加圧軸が設けられて加圧機構部が構成され、チップ先端部を突出させた状態に係止すると共にノックによって加圧軸に対し加圧筒が前進して、インキの後端が加圧された状態となされる。
【０００６】
請求項３に記載の発明に係る複合筆記具は、請求項２に記載の複合筆記具に於いて、加圧軸の外周に円周状の溝部とその溝部内の前端側に加圧軸の軸心を貫通する孔部と連通する通気路が設けられ、シールリングが前記溝部内に前後動可能に密挿されて、加圧軸に対して加圧筒が前進作動した時に、シールリングが溝部内の前端側に強制的に寄せられて前記通気路が閉塞された状態でシールリングの外周部が加圧筒の内周部に密接した状態で摺動して、加圧筒内の空気が加圧軸の軸心内孔に押し込まれるように構成されてなる。
【０００７】
請求項４に記載の発明に係る複合筆記具は、請求項３に記載の複合筆記具に於いて、加圧軸に対して加圧筒が前進した状態から後退作動した時に、シールリングが溝部内の後端側に強制的に寄せられて通気路が開口した状態となされ、加圧筒内が外気と連通した状態で後退可能となるように構成されてなる。
【０００８】
【実施例】
先ず、図１乃至図９は本発明の実施例を示している。また、２本のボールペンリフィール１３、１４を搭載した構造で示されている。
また、本発明の意図する複合筆記具は、少なくとも一本がノック式の加圧作用を受けるインキが充填されたボールペンリフィールであることを特徴とするものである。その他の筆記体としては、加圧を受けない通常の油性ボールペン、ゲルインキを搭載した水性又は油性のボールペン、シャープペンシルなどが適用できる。
【０００９】
先ず、本発明の複合筆記具に搭載されるボールペンリフィールに付いて説明する。尚、実施例のボールペンリフィール１３と１４は同じ構成であり、例えば、基本的にはインキ色や描線巾などが異なるものである。
また、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなど、加圧作用で支援して筆記可能とするボールペンリフィールや、低粘度インキの水性、油性のボールペン、剪断減粘性を有したインキのボールペン、高粘度インキの油性ボールペンなど様々なボールペンが適用される。
【００１０】
従って、ボールペンリフィールは、インキの仕様やインキ収容部の太さ等によってチップ先端部の耐乾燥性、インキの直流及び逆流防止の対策が重要となる。
乾燥しやすいインキ、低粘度のインキは耐乾燥性やインキの直流を防止するために先端ボールをチップのボール抱持部の内縁に密接させる手段が必要であり、インキの後端にインキと相溶性が無くインキの乾燥防止や逆流防止のフォロアが必要となる。また、必要に応じてフォロア内にフォロアと略同等の比重を有する樹脂製のフォロア棒が浸漬される。尚、フォロアは例えばシリコンゴム等の追従体とすることも可能である。また、インキ収容部が太い場合には、チップの後端とインキ収容部との間にインキの逆流を防止する弁機構が必要となる。また、加圧機構を必要とするインキに対してはインキが逆流して、弁機構部やノック機構部にインキ等が付着するのを防止するためにもフォロアが必要である。（加圧のためのシール部の劣化や加圧機構の摺動・作動不良の防止など）
しかしながら、高粘度の油性インキで、しかもインキ収容部の内径が細いものであれば、インキの直流や逆流を防止するために上記のような対応は必らずしも必要としない。
【００１１】
図７に基づき、ボールペンリフィール１３の構造について説明すると、先ずチップ１３ａはインキ流入可能なチャンネルを有した座に先端ボール１３ｂが略当接した状態で、先端ボールが回転自在に抱持されるようカシメられている。
また、チップ１３ａの内孔部にスプリング１３ｃが内挿され、チップの軸部１３ｇの後端が適宜カシメられてスプリング１３ｃの後端が抜出不能に設けられ、チップの軸部１３ｇがインキ収容管１３ｄに密嵌されて、インキ１３ｅの後端にグリース状のフォロア１３ｆが設けられている。
また、スプリング１３ｃの先方には直立状の棒軸部が形成され、この棒軸部の先端が先端ボール１３ｂの背面に押圧状に当接する。尚、先端ボールはその押圧でチップ１３ａのボール抱持部の内縁に密接状態と成されている。
【００１２】
また、図８はボールペンリフィールの他の実施形態を示している。
このボールペンリフィール１７は、継ぎ手１７ａの内孔部後方にチップ１７ｂの軸心と適宜偏心した弁室が設けられ、この弁室の後部にはテーパー状または球面状のボール受け座とインキ収容管１７ｆに連通する導孔が形成されている。
また、弁室の内壁の一側にはインキが流入可能な溝部が形成され、弁室内にはボール状の弁体１７ｅが遊嵌されて、チップを下向きにした状態で弁体がチップの軸部の後端に偏った状態に当接して、溝部等を通じて導孔を通じてインキがチップ内孔部に流入するように構成されている。
【００１３】
また更に、図９はボールペンリフィールの更に他の実施形態を示している。
このボールペンリフィール１８は、高粘度の油性インキ１８ｄが充填される。
また、インキ収容管１８ｃが細い場合にはフォロア１８ｅは設けられなくてもよい。
【００１４】
先ず、本発明の複合筆記具は、上述した特許文献３の実開平１−１６１０８１に示される複式筆記具を一実施例として使用している。
図に示すように本発明の複合筆記具は、ガイド筒５、先軸６、カム斜面２ｂを形成した円筒カム２、内径に内歯部１ｃを一体に備えた後軸１、一対の摺動コマ７、９、ボ−ルペンリフィール１３、１４を主な構成要素とする。
【００１５】
先ず、ガイド筒５は、図１に示すように略中央部から後方にかけて一対の案内溝５ｃ、５ｄを有し、前方には鍔部５ａとその前に筒部５ｅを有しており、筒部５ｅの側面には先端を楔形（図示せず）としたリブと一部を区切る形で溝を形成した係止部５ｆが一体に設けられて、全体が樹脂により一体成形されている。  ガイド筒５は先軸６の後端開口部からその内部に挿入され、相互の弾性変形によりガイド筒５の係止部５ｆを先軸６の係止部６ａに係止し着脱可能に固定される。即ち、係止部６ａもガイド筒５のリブと溝に対応する溝とリブで形成されており、ガイド筒５のリブが先軸６の溝に嵌入して円周方向の回転が阻止され、先軸６のリブとガイド筒５の溝が係止して抜止される。ガイド筒５のリブを先軸６の溝に嵌入させる場合、多少円周方向で両者にズレがあっても溝の入口の縁のテ−パ−部（図示せず）とリブの楔形の先端形状によってリブは案内されることになるので両者は確実に嵌合される。
【００１６】
ところで後軸１は、外周部後端にクリップ１ｄを備え、その前方内孔部に設け凹溝１ａと後方内孔部にリブ１ｂが設けられている。また円筒カム２は、前方に向かう円周状のカム斜面２ｂを有し、該カム斜面２ｂの最前端部に切欠２ａと側面に溝２ｄが設けられている。円筒カム２がガイド筒５の後方外周に回転且つ軸推移可能に被嵌され、ガイド筒５が後軸１の前方内孔部に設けられた凹溝１ａにガイド筒の鍔部５ａのやや後方に設けられた突部５ｂを相互の弾性変形により嵌着させて、後軸１に対しガイド筒５を回転自在で抜止め固定している。
また円筒カム２は、後軸１のリブ１ｂに溝２ｄを嵌入させて後軸に対し回転方向で一体、軸方向に可動可能となされる。
【００１７】
一方、ボ−ルペンリフィール１３、１４はその後端を摺動コマ７、９の先方部位に設けられた加圧軸８、１０の前端に着脱可能に嵌着される。（この部については後で詳説する）また、それぞれの摺動コマ７、９とガイド筒５の案内溝５ｃ、５ｄの前端段部との間にそれぞれリタ−ンスプリング１１、１２が敷設されて、ボ−ルペンリフィール１３、１４は後方に附勢されている。
従って先軸６に対して後軸１を回転することにより、円筒カム２のカム斜面２ｂ上でそれぞれの摺動コマを滑らせて、それと連動してボ−ルペンリフィール１３、１４を前後動可能としている。
【００１８】
また、後軸１の略後端内孔部に内歯部１ｃを形成して、そこにノック棒３を挿入して後軸１の後端よりノック部を突出させ、ノック部をノックすることにより、ノック棒３の前面に位置させた回転子４を回転させて、回転子４の歯４ａを前記内歯部１ｃの歯に掛合、又は、溝に挿入させて、回転子４の更に前面に位置する円筒カム２を前進または後退状態に位置させて、それと連動してボ−ルペンリフィール１３、１４の筆記先端部を先軸６の先端孔より出没可能としている。
【００１９】
ここで上述した摺動コマ７、９の先方部位に設けられた加圧軸８、１０等の構成について詳説する。尚、摺動コマ７側と摺動コマ９側は同じなので摺動コマ７側に添って説明する。図４に示すように、摺動コマ７の前部には一体の加圧筒７ａが設けられている。加圧筒７ａの内孔は後端が閉塞状となされ、その内孔にスプリング１６を介して加圧軸８に対し加圧筒７ａが前後動可能に敷設され、加圧軸８に対し加圧筒７ａが前方に摺動した時に内部の空気が圧縮されるように設けられて、加圧機構部が構成されている。
【００２０】
加圧軸８は、前方軸部８ｇと後方軸部８ａで設けられ、後方軸部８ａの略後端部位の外周に前鍔部８ｃと後鍔部８ｄに挟まれた円周状の凹溝部８ｂが形成され、前鍔部８ｃの所要箇所に切欠溝８ｆが設けられている。また、凹溝部８ｂの前端側に加圧軸８の軸心に貫通する孔部に連通する小孔８ｅ（通気路）が設けられ、更に凹溝部８ｂ内には例えばゴム等の弾性体よりなるシールリング１５が密挿されると共に、シールリング１５は凹溝部８ｂに対し前後に摺動可能となされている。また、前方軸部８ｇの略前端部位の外周に鍔部８ｈと更に前端に取付け軸部８ｉが設けられ、その取付け軸部８ｉの外周所要箇所（実施例では一箇所）に円周状の突部となしたシール部８ｋが形成され、取付け軸部８ｉの外周にボールペンリフィールが装着された時に、リフィールのインキ収容管の内面に気密状に密接する。また、シール部８ｋの後部外周に突起状の係止部８ｊが形成されて、取付け軸部８ｉとボールペンリフィールの固定状態を確実化している。
【００２１】
以上により、加圧軸８の後鍔部８ｄの後端と加圧筒部７ａ内孔後端の閉塞端部との間にスプリング１６が敷設された状態で加圧軸８が加圧筒７ａの内孔に挿入され、加圧筒７ａの前端内孔部周面に設けられた突条または周状の突部となった係止部７ｅに加圧軸の前鍔部８ｃが弾性的に係合されて、加圧軸８はスプリング１６の押圧力によって常時前方に附勢されると共に抜出不可となされている。
また、前鍔部８ｃ外周の所要箇所に設けられた切欠溝８ｆによって前鍔部８ｃの前後が加圧筒７ａの外部に通気可能となされている。尚、加圧筒７ａと加圧軸８の係止手段、切欠溝によって前鍔部の前後が加圧筒の外部に通気可能となされるための通気手段は上記実施形態に限定されないものである。
【００２２】
また、加圧筒７ａの内孔部周面には、上記係止部７ｅの適宜後方にやはり突条または周状の突部となされた中間の係合部７ｆが設けられ、また更に、係合部７ｆの後方に同様にして後部の係合部７ｇが設けられている。
図４に示されるように、シールリング１５は凹溝部８ｂの後端側に寄った状態にあって、前記係合部７ｇはシールリング１５の後端側の縁に略当接状態となるように位置されている。
加圧軸８に対して摺動コマ７すなわち加圧筒７ａが前進作動した時に、係合部７ｆがシールリング１５の後端側の縁を押して、シールリング１５を強制的に凹溝部８ｂ内の前端側に寄せることによって小孔８ｅ（通気路）が閉塞され、更なる加圧筒７ａの前進で係合部７ｆがシールリング１５の外周部を乗り越えて前進し、シールリング１５の外周部が加圧筒７ａ内孔の内周部７ｄに密接した状態で摺動して、加圧筒７ａ内の空気が加圧軸８の軸心内孔に押し込まれる。（図５参照）また、加圧軸８に対して加圧筒７ａが前進した状態から後退作動した時に、係合部７ｇがシールリング１５に当接し、シールリング１５が凹溝部８ｂ内の後端側に寄せられて通気路が開口した状態となり、加圧筒内が外気と連通した状態で後退可能となる。（但し、厳密には係合部７ｇがシールリング１５に当接し、更にシールリング１５が凹溝部８ｂの後端側に寄って小孔８ｅが開口される迄の摺動間隔は減圧方向に作用する。）
ところで、シールリング１５は、ゴム等の弾性体や弾性のある成形樹脂などより成り、機密性、滑り性のよいものが選択され、また潤滑剤を介在させるなど配慮される。尚、作用で詳説する。
【００２３】
複合筆記具にボールペンリフィール１３、１４が搭載され、ガイド筒５の筒部５ｅに先軸６が着脱可能に固定される。図１乃至図３に示すように、ボールペンリフィール１３は、インキ収容管１３ｄの後端を加圧軸８の取付け軸部８ｉに密嵌して取付けられ、摺動コマ７の前段部７ｈとガイド筒の案内溝５ｃの前端段部との間にリターンスプリング１１が敷設されて、ボールペンリフィール１３は後軸１の後方に附勢された状態となっている。一方、ボールペンリフィール１４は、摺動コマ９の突起９ｂが円筒カム２前端の切欠２ａに係止され、チップ１４ａの先端部が先軸６の先端孔から突出されると共に、インキ収容管１４ｄ前端の段部１４ｈが先軸６の内段部６ｂに略当接状態となされる。尚、チップの先端部が突出した状態で先軸に対して前進が阻止される形態は前記実施形態に限定されない。
【００２４】
また、摺動コマの突起と円筒カムの切欠が解除された状態に於いては、チップ先端部が先軸内に収容され、保管、あるいは携帯時の状態となる。
また、ノック棒３をノックして円筒カム２が前進した状態に係止された時に、円筒カム２とガイド筒５を回転方向に固定（図示せず）するように設けることができる。そのことは、ボールペンリフィールの後端が加圧された状態では先軸の先端孔から突出したチップ先端部を収容できないことを示しており、筆記具の未使用時に先端ボールとチップのボール抱持部の内面と密接不完全によって加圧でインキが直流ぎみとなる危険が回避可能となる。
【００２５】
尚、上述した加圧機構部に用いられるスプリング１６の附勢力は、リターンスプリング１１による附勢力より適宜大きく設定されており、筆記先端部が先軸の先端孔から突出した状態に係止される迄はスプリング１６は略圧縮変位しない関係に設定され、図４に示すように、加圧筒内は外気と連通した状態にある。
【００２６】
【作用】
図１に示された状態からノック棒３をノックして図３に示されるように円筒カム２が前進状態に係止され、それと共に摺動コマ９が前進状態となる。（尚、摺動コマ７側と摺動コマ９側の構成は同じなので、細部の符号が両方に重複して使用されている）即ち、ボールペンリフィール１４の前進が阻止された状態で加圧軸１０に対して加圧筒９ａが前進し、加圧筒９ａが適宜前進作動した直後においてシールリング１５が加圧軸１０の小孔８ｅを閉塞して加圧筒内を外気と遮断し、加圧筒内の空間部が圧縮されることによって前方に空気が押し込まれ、フォロアの後端が加圧されてインキのチップ側への流動性が支援される。（図５参照）
そのことは、落下衝撃やインキの流動性の悪さ等に起因して先端ボールの周面からインキが離れてしまい連続的なインキの流出がとぎれるのを防止する作用ととぎれた時に回復する作用となる。
【００２７】
また、図３に示された状態からノック棒３をノックすると再び図１に示されるように円筒カム２が後退した状態に係止される。それと共に摺動コマ９も後退する。その際、図５に参照されるようにシールリング１５の前端側の縁に係合部７ｇが略当接状態となされており、摺動コマ９が後退すると加圧筒７ａが後退し、係合部７ｇがシールリング１５を加圧軸１０の凹溝部８ｂの後端に強制的に寄せて小孔８ｅが開口し、加圧筒内が外気と連通した状態で後退する。
【００２８】
ところで、筆記体がシャープペンシルの場合には、後軸１を回転してシャープペンシル筆記体を先軸の先端孔から突出し、シャープペンシルの口金部が内段部に略当接して前進が阻止され、その状態でノック棒３の後端をノックすることで芯が繰り出し可能となる。その際、芯を繰り出すためのノック棒３の前進ストロークはノック棒３の前進によって回転子４が内歯部１ｃにより回転されるストロークより小さく設けられる。
【００２９】
上述したように、シールリング１５は、ゴム等の弾性体や弾性のある成形樹脂などより成り、機密性、滑り性のよいものが選択され、また潤滑剤を介在させるなど配慮されるが、加圧筒７ａ内孔の内周面とシールリング１５の外周面との間の摩擦抵抗に対してシールリング１５の内周面と加圧軸８の凹溝部８ｂの周面との間の摩擦抵抗が小さく設定される場合には必ずしも加圧筒７ａの内周部７ｄに係合部７ｆや係合部７ｇを設けなくても済む。シールリング１５をそのような条件に置くためには、シールリング１５の内周面に周状の微細な凹凸部を無数に形成する。また、加圧軸あるいは凹溝部部位を摩擦係数の小さな材質を選択したり、シールリングの外面を軟質、内面を硬質の二層構造としたり、シールリングの内面や凹溝部の周面に摩擦抵抗を軽減する処理などが施される。尚、基本的にはシールリングが凹溝部の前端側に寄った（小孔が閉塞される）状態以外は、シールリングが溝部に遊嵌される状態であってもよい。
【００３０】
しかしながら、部材のバラツキなどの原因を含め、加圧筒７ａ内孔の内周面とシールリング１５の外周面との間の摩擦抵抗に対してシールリング１５の内周面と加圧軸８の凹溝部８ｂの周面との間の摩擦抵抗が大きくなってしまった場合には、上述したように加圧筒７ａの内周部７ｄに係合部７ｆや係合部７ｇを設ける必要がある。この係合部を設ける場合、小孔８ｅを開口したり、閉塞したりするためのシールリング１５の内周面と加圧軸の凹溝部８ｂの周面との間の摩擦抵抗の最大値に対して、係合部７ｆや係合部７ｇがシールリング１５の端部の縁に係合する力が大きくなるように設けられれば良い。実際の係合部の突部は微小であって、シールリングの密着面積に比較して小さく、シールリングの密着性に支障なくその外周部を乗り越えることができるものである。
【００３１】
【発明の効果】
本発明は、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなど、加圧作用で支援して筆記可能とするボールペンリフィールを少なくとも一本搭載した便利な加圧式の複合筆記具が提供可能となる。
【図面の簡単な説明】
【図１】本発明の複合筆記具の後半部を示す縦断面図で、一方の筆記先端部が先軸の先端孔から突出した状態に対応している。
【図２】図１に対応する複合筆記具の前半部を示す縦断面図である。
【図３】図１の状態からノック棒をノックして突出した側のボールペンが加圧された状態となった複合筆記具の後半部を示す縦断面図である。
【図４】図１の状態に対応した加圧機構部の要部拡大図である。
【図５】図３の状態に対応した加圧機構部の要部拡大図である。
【図６】加圧機構部とボールペンリフィールの接続部を拡大して示した図である。
【図７】ボールペンリフィールの縦断面図である。
【図８】ボールペンリフィールの他の形態を示す縦断面図である。
【図９】ボールペンリフィールの更に他の形態を示す縦断面図である。
【符号の説明】
１        後軸
１ａ    凹溝
１ｂ    リブ
１ｃ    内歯部
１ｄ    クリップ
２        円筒カム
２ａ    切欠
２ｂ    カム斜面
２ｃ    凸部
２ｄ    溝
３      ノック棒
３ａ    リブ
３ｂ    歯
４      回転子
４ａ    歯
５      ガイド筒
５ａ    鍔部
５ｂ    突部
５ｃ    案内溝
５ｄ    案内溝
５ｅ    筒部
５ｆ    係止部
６      先軸
６ａ    係止部
６ｂ    内段部
７      摺動コマ
７ａ    加圧筒
７ｂ    突起
７ｃ    ボス部
７ｄ    内周部
７ｅ    係止部
７ｆ    係合部
７ｇ    係合部
７ｈ    前段部
８      加圧軸
８ａ    後方軸部
８ｂ    凹溝部
８ｃ    前鍔部
８ｄ    後鍔部
８ｅ    小孔
８ｆ    切欠溝
８ｇ    前方軸部
８ｈ    鍔部
８ｉ    取付け軸部
８ｊ    係止部
８ｋ    シール部
９      摺動コマ
９ａ    加圧筒
１０    加圧軸
１１    リターンスプリング
１２    リターンスプリング
１３    ボールペンリフィール
１３ａ  チップ
１３ｂ  先端ボール
１３ｃ  スプリング
１３ｄ  インキ収容管
１３ｅ  インキ
１３ｆ  フォロア
１３ｇ  軸部
１３ｈ  段部
１４    ボールペンリフィール
１４ａ  チップ
１４ｄ  インキ収容管
１４ｈ  段部
１５    シールリング
１６    スプリング
１７    ボールペンリフィール
１７ａ  継ぎ手
１７ｂ  チップ
１７ｃ  先端ボール
１７ｄ  スプリング
１７ｅ  弁体
１７ｆ  インキ収容管
１７ｇ  インキ
１７ｈ  フォロア
１８    ボールペンリフィール
１８ａ  チップ
１８ｂ  先端ボール
１８ｃ  インキ収容管
１８ｄ  インキ
１８ｅ  フォロア
【図１】
2005035023.tif 000003
【図２】
2005035023.tif 000004
【図３】
2005035023.tif 000005
【図４】
2005035023.tif 000006
【図５】
2005035023.tif 000007
【図６】
2005035023.tif 000008
【図７】
2005035023.tif 000009
【図８】
2005035023.tif 000010
【図９】
2005035023.tif 000011